(57)【特許請求の範囲】
【請求項１】
洗剤が収容され、水と前記洗剤とから洗剤液を生成する洗剤ケースと、
衣類を洗浄する洗浄動作を行う洗濯槽と、
前記洗剤液を前記洗濯槽に流下させる給水ユニットと、
前記洗剤液を発泡させる泡立て室と、
を有し、
前記給水ユニットは、
前記洗剤ケースへ水を供給するための流路を規定する流路構造部と、
前記洗剤ケースから前記洗剤液が流入する流水部と、
前記流路構造部は、
前記洗剤ケースに水を注水する第１注水経路と、
前記第１注水経路から分岐され、前記洗剤ケースを迂回して、前記泡立て室に水を注水する第２注水経路と、を備え、
前記泡立て室は、
前記第２注水経路の水を噴出する噴出口の水が衝突する泡立て壁と、
前記泡立て壁上において前記噴出孔と対向する位置に設けられ、水流の上流側に向かって、複数、複数列、突出形成され、前記泡立て壁に衝突した水を拡散させる泡立て突起形状と、
を備えることを特徴とする洗濯機。
【請求項２】
前記泡立て室は、
前記泡立て突起形状で拡散した水の乱れを整流化させる整流用突起形状、
を備えることを特徴とする請求項１に記載の洗濯機。
【請求項３】
前記泡立て室は、
前記整流用突起形状の下流側の流路の一部の面積を狭めた後、流路面積を広げる注水面積拡大リブ、
を備えることを特徴とする請求項２に記載の洗濯機。
【請求項４】
前記注水面積拡大リブは、前記泡立て室の上方から前記泡立て室底面側に向かって形成
し、前記注水面積拡大リブと前記泡立て室底面との間に流路となる間隔を形成する、
ことを特徴とする請求項３に記載の洗濯機。
【発明の詳細な説明】
【技術分野】
【０００１】
本発明は、衣類を洗濯する洗濯機に関する。
【背景技術】
【０００２】
従来の洗濯機は、洗剤ケースと、流路構造体と、を備える（特許文献１を参照）。使用者は、洗剤ケースに洗剤を収容することができる。使用者は、給水口から水を供給する。水は、流路構造体を通じて、洗剤ケースに流下する。洗剤ケース内の洗剤は、水に溶解し、洗濯槽へ供給される。
【先行技術文献】
【特許文献】
【０００３】
【特許文献１】特開２００５−２６１７１４号公報
【発明の概要】
【発明が解決しようとする課題】
【０００４】
特許文献１に記載された技術は、洗剤ケースに収容された洗剤を撹拌するために、攪拌羽根および攪拌電動機を備える。このため、洗剤液を生成するためのスペースおよび洗濯機のコストが増大するという問題があった。また、洗浄力を向上させるためには、発泡した洗剤液が効力を発揮するが、従来の構成では、泡生成能力が低いという問題があった。
【０００５】
本発明は、簡単な構成で、高い泡生成能力を備えた洗濯機を提供することを目的とする。
【課題を解決するための手段】
【０００６】
本発明の洗濯機は、洗剤が収容され、水と前記洗剤とから洗剤液を生成する洗剤ケースと、衣類を洗浄する洗浄動作を行う洗濯槽と、前記洗剤液を前記洗濯槽に流下させる給水ユニットと、前記洗剤液を発泡させる泡立て室と、を有し、前記給水ユニットは、前記洗剤ケースへ水を供給するための流路を規定する流路構造部と、前記洗剤ケースから前記洗剤液が流入する流水部と、前記流路構造部は、前記洗剤ケースに水を注水する第１注水経路と、前記第１注水経路から分岐され、前記洗剤ケースを迂回して前記泡立て室に水を注水する第２注水経路と、を備え、前記泡立て室は、前記第２注水経路の水を噴出する噴出口の水が衝突する泡立て壁と、前記泡立て壁上において前記噴出孔と対向する位置に設けられ、水流の上流側に向かって、複数、複数列、突出形成され、前記泡立て壁に衝突した水を拡散させる泡立て突起形状と、を備えるものである。
【発明の効果】
【０００７】
本発明は、簡単な構成で、高い泡生成能力を備えた洗濯機を提供することができる。
【図面の簡単な説明】
【０００８】
【図１】本発明の一実施形態に係る洗濯機の上筐体および蓋体の斜視図
【図２】図１の洗濯機の模式的な構造図
【図３】図１の洗濯機の給水ユニットと泡立て室の斜視図
【図４】図３の給水ユニットから蓋部が取り外された状態の斜視図
【図５】図３の給紙ユニットのハウジングの分解斜視図
【図６】図４の給水ユニットの上面図
【図７】図３の給水ユニットに装着される洗剤ケースの分解斜視図
【図８】図３の給水ユニットに装着される洗剤ケースの斜視図
【図９】図４の給紙ユニットの上面図
【図１０】図４の給紙ユニットの断面図
【図１１】図４の給紙ユニットの断面図
【図１２】図１１で示される給水ユニットの断面斜視図
【図１３】図３の給水ユニットを構成する保持箱の上面図
【図１４】図３の給水ユニットを構成する保持箱の正面図
【図１５】図４の給水ユニットから洗剤ケースが取り外された状態の上面図
【図１６】図４の給水ユニットから洗剤ケースが取り外された状態の正面図
【図１７】図４の給水ユニットから洗剤ケースが取り外された状態の断面図
【図１８】図３の給水ユニットと泡立て室の分解斜視図
【図１９】図３の泡立て室の上面図
【図２０】図３の泡立て室の断面図
【図２１】図３の泡立て室と注水面積拡大リブの断面図
【図２２】図３の給水ユニットと泡立て室を接続する水漏れ防止弁の正面図
【図２３】図４の給水ユニットの断面図
【発明を実施するための形態】
【０００９】
第１の発明は、洗剤が収容され、水と前記洗剤とから洗剤液を生成する洗剤ケースと、衣類を洗浄する洗浄動作を行う洗濯槽と、前記洗剤液を前記洗濯槽に流下させる給水ユニットと、前記洗剤液を発泡させる泡立て室と、を有し、前記給水ユニットは、前記洗剤ケースへ水を供給するための流路を規定する流路構造部と、前記洗剤ケースから前記洗剤液が流入する流水部と、前記流路構造部は、前記洗剤ケースに水を注水する第１注水経路と、前記第１注水経路から分岐され、前記洗剤ケースを迂回して前記泡立て室に水を注水する第２注水経路と、を備え、前記泡立て室は、前記第２注水経路の水を噴出する噴出口の水が衝突する泡立て壁と、前記泡立て壁上において前記噴出孔と対向する位置に設けられ、水流の上流側に向かって、複数、複数列、突出形成され、前記泡立て壁に衝突した水を拡散させる泡立て突起形状と、を備えるものである。
【００１０】
これにより、流路構造部に流入する水の一部が、第１注水経路から第２注水経路に分流される。第２注水経路に流入した水は、第１注水経路および洗剤ケースを経て泡立て室に流入した洗剤液に注水される。第２注水経路から泡立て室に注水した水が洗剤液を攪拌し、乱流を発生する。この結果、洗剤液が洗濯槽に流入する前に、泡立て室において洗剤液が発泡する。泡立て室で発泡した洗剤液は、洗濯槽へ供給される。また、泡立て室に泡立て壁と泡立て突起形状が備えられることによって、洗剤液が一時的に滞留する。そして、滞留する洗剤液に向かって水が噴出される。泡立て壁に衝突した水が、泡立て突起形状により拡散し、乱流を発生させるため、水が洗剤液と攪拌され、空気を多く含んで、発泡する。
【００１３】
第２の発明は、特に、第１に発明において、前記泡立て室は、前記泡立て突起形状で拡散した水の乱れを整流化させる整流用突起形状を備えるものである。
【００１４】
第３の発明は、特に、第２の発明において、前記泡立て室は、前記整流用突起形状の下流側の流路の一部の面積を狭めた後、流路面積を広げる注水面積拡大リブを備えるものである。
【００１５】
これにより、注水面積拡大リブにより、注水面積が絞られるため、水が横方向に均一に広がり、注水面積の拡大とともに洗濯槽内へ均一に泡を供給させる。
【００１６】
第４の発明は、特に、第３の発明において、前記注水面積拡大リブは、前記泡立て室の上方から前記泡立て室底面側に向かって形成し、前記注水面積拡大リブと前記泡立て室底面との間に流路となる間隔を形成するものである。
【００１７】
これにより、注水面積拡大リブを上方から泡立て室底面に向かって伸ばすことで、運転終了後の残水問題を解決できる。
【００１８】
添付の図面を参照して、例示的な洗濯機が以下に説明される。洗濯機は、以下の説明によって、明確に理解可能である。「上」、「下」、「左」や「右」といった方向を表す用語は、単に、説明の明瞭化を目的とする。したがって、これらの用語は、限定的に解釈されるべきものではない。洗濯機能に付随した様々な機能は、後述の実施形態の原理を何ら限定しない。
【００１９】
（洗濯機の構造）
図１は、洗濯機１００の上筐体７２０および蓋体８００の斜視図である。更に、図２は、洗濯機１００の模式的な構造図である。図１乃至図２を参照して、洗濯機１００が説明される。
【００２０】
洗濯機１００は、筐体７００と、蓋体８００と、操作パネル９００と、を備える。
【００２１】
筐体７００には、洗濯機１００の洗浄および脱水のためのさまざまな部材が収容されている。筐体７００は、略直方体形状からなる。筐体７００は、下筐体７１０と、上筐体７２０と、を含む。上筐体７２０は、下筐体７１０の上方に配置される。下筐体７１０内には、洗濯槽６００（図１、図２）が収容される。洗濯槽６００は、上方が開口された円筒体であり、衣類を洗浄する洗浄動作を行う。洗浄動作は、既知の様々な洗濯機の洗濯槽が行う動作であってもよい。本実施形態の原理は、洗濯槽６００によって実行される特定の洗浄動作に限定されない。
【００２２】
蓋体８００は、上筐体７２０に取り付けられる。蓋体８００は、上筐体７２０上で上下に回動する。図１に示される如く、使用者は、蓋体８００を上方に回動することができる。上筐体７２０には、投入口７２１が形成される。使用者が、蓋体８００を上方に回動すると、洗濯槽６００は、投入口７２１を通じて露出する。使用者は、衣類を、投入口７２１を通じて、洗濯槽６００へ投入することができる。
【００２３】
操作パネル９００は、上筐体７２０のうち投入口７２１の後方に配置される。使用者は、操作パネル９００を操作し、洗濯槽６００の様々な動作を設定することができる。
【００２４】
（給水構造）
図２を参照して、洗濯機１００は、給水口２００と、給水ユニット３００と、洗剤ケース４００と、泡立て室５００と、を備える。使用者は、水を、給水口２００から洗濯機１００に供給することができる。水は、給水ユニット３００及び洗剤ケース４００を順次通過し、泡立て室５００にて泡が生成され、生成された泡が洗濯槽６００へ至る。
【００２５】
洗剤ケース４００は、水と洗剤とから洗剤液を生成する。洗剤ケース４００は、取っ手部４４０（図１）を備える。洗剤ケース４００の取っ手部４４０は、投入口７２１に臨む。したがって、使用者は、蓋体８００を上方に回動し、洗剤ケース４００にアクセスすることができる。
【００２６】
洗剤ケース４００は、更に、第１室４１０と、第２室４２０と、第３室４３０と、を含む。使用者は、第１室４１０に粉洗剤を収容することができる。使用者は、第２室４２０に液体洗剤を収容することができる。使用者は、第３室４３０に柔軟剤や衣類の繊維に作用する他の仕上剤を収容することができる。尚、第３室４３０は、必ずしも必要とされない。本実施形態の原理は、第３室４３０によっては何ら限定されない。本実施形態におい
て、第１ケース部は第１室４１０によって例示され、第１洗剤は粉洗剤によって例示される。また、第２ケース部は第２室４２０によって例示され、第２洗剤は液体洗剤によって例示される。なお、洗剤ケース４００の構造については、後記で更に詳述する。
【００２７】
給水ユニット３００は、給水弁３１０と、流路構造部３２０と、を含む。給水ユニット３００は、洗剤液を洗濯槽６００に流下させる機能を備える。給水弁３１０は、水の経路を、第１室４１０及び第２室４２０へ向かう第１経路ＦＰと第３室４３０へ向かう第２経路ＳＰとの間で切り替える。本実施形態では、給水口２００から給水される上水道の水圧が変化した場合であっても、給水弁３１０は、毎分５リットルから１５リットルの範囲で第１経路ＦＰまたは第２経路ＳＰに水を供給する。尚、第２経路ＳＰは、必ずしも必要とされない。本実施形態の原理は、第２経路ＳＰによっては何ら限定されない。
【００２８】
流路構造部３２０は、洗剤ケース４００の第１室４１０及び第２室４２０へ水を供給するための流路を規定する。給水弁３１０が、第１経路ＦＰを開くと、水は、流路構造部３２０を通じて、第１室４１０及び第２室４２０へ供給される。この結果、第１室４１０内の粉洗剤及び第２室４２０内の液体洗剤は、水と混合される。
【００２９】
一方、給水弁３１０が、第２経路ＳＰを開くと、水は、第３室４３０へ供給される。第３室４３０内の仕上剤は、水と混合される。仕上剤は、泡立て室５００を通過し、水とともに、洗濯槽６００へ供給される。洗濯槽６００は、仕上剤の水溶液中で衣類を濯ぎ、衣類に所望の特性（例えば、柔軟性）を与えることができる。
【００３０】
（給水ユニットの構造）
図３は、本実施形態に係る洗濯機１００の給水ユニット３００と泡立て室５００の斜視図である。図４は、給水ユニット３００から後記の蓋部３４０が取り外された状態の斜視図である。図５は、給水ユニット３００のハウジング２５０の分解斜視図である。図６は、給水ユニット３００の上面図である。図７は、給水ユニット３００に装着される洗剤ケース４００の分解斜視図、図８は、同斜視図である。図９は、給水ユニット３００の上面図、図１０および図１１は、同断面図である。なお、図１０の断面図は、図９を断面Ｘ−Ｘで切断した図に相当し、図１１の断面図は、図９を断面Ｙ−Ｙで切断した図に相当する。図１２は、図１１で示される給水ユニットの断面斜視図である。図１３は、給水ユニット３００を構成する保持箱３５０の上面図、図１４は、同正面図である。図１５は、図６の給水ユニット３００から洗剤ケース４００が取り外された状態の上面図、図１６は、同正面図であり、図１７は、同断面図である。なお、図１７の断面図は、図１５を断面Ｘ−Ｘで切断した図に相当する。図１８は、給水ユニット３００の断面斜視図である。以下、図２乃至図１７を参照して、給水ユニット３００が説明される。なお、図１では、給水ユニット３００の全体は現れていないが、給水ユニット３００は、図１の操作パネル９００の下方において上筐体７２０に収容されている。
【００３１】
給水ユニット３００は、ハウジング２５０を備える。ハウジング２５０は、給水ユニット３００の本体部分であって、図５に示すように略直方体形状からなる。更に、給水ユニット３００は、それぞれハウジング２５０の後端部に装着された第１導水筒３１１と、第２導水筒３１２と、風呂水ポンプ３１４と、を備える。
【００３２】
第１導水筒３１１は、図２を参照して説明された第１経路ＦＰの上流端であってもよい。第２導水筒３１２は、図２を参照して説明された第２経路ＳＰの上流端であってもよい。図２を参照して説明された給水弁３１０は、第１導水筒３１１及び第２導水筒３１２に取り付けられる。給水弁３１０が、第１導水筒３１１を開いている間、第２導水筒３１２は閉じられる。給水弁３１０が、第２導水筒３１２を開いている間、第１導水筒３１１は閉じられる。洗濯槽６００において洗剤を用いた洗浄動作が実行される場合、第１導水筒
３１１が開かれる。また、洗濯槽６００において、すすぎ動作が実行される場合、第２導水筒３１２が開かれる。なお、すすぎ動作が実行される場合、第１導水筒３１１および第２導水筒３１２が交互に開かれてもよい。
【００３３】
風呂水ポンプ３１４は、第１経路ＦＰに連通されている。風呂水ポンプ３１４は、不図示の風呂水給水口に連結され、風呂水を洗剤ケース４００に給水する。
【００３４】
（ハウジングの詳細構造）
図５を参照して、ハウジング２５０は、収容箱３３０と、蓋部３４０とを備える。収容箱３３０は、ハウジング２５０の下方部分に配置される。蓋部３４０は、ハウジング２５０の上方に配置される。
【００３５】
（収容箱の構造）
図２を参照して説明された洗剤ケース４００は、収容箱３３０内に収容される。使用者は、洗剤ケース４００を収容箱３３０から引き出すことができる。
【００３６】
収容箱３３０は、保持箱３５０と、流路箱３６０とを備える。また、収容箱３３０は、保持箱３５０と流路箱３６０とに共有される共有壁３６１を含む。共有壁３６１は、後方から前方に向かって先下がりの傾斜面からなる。共有壁３６１は、流路箱３６０へ流入した水を支持する。なお、図６に示すように、共有壁３６１の後端部の右側は、給水弁３１０などを配置するために部分的に切り欠かれている。
【００３７】
（流路箱の構造）
流路箱３６０は、上記の共有壁３６１を含み、収容箱３３０の上方部分を画定する。図２を参照して説明された流路構造部３２０は、収容箱３３０と一体的に形成される。図５および図６を参照して、流路箱３６０は、周壁部３６２と、第１内壁３６３と、第２内壁３６４と、第３内壁３６５と、第４内壁３６６と、突出部３６７とを備える。
【００３８】
周壁部３６２は、図６に示すように、共有壁３６１の外周縁の内側において、前記外周縁に沿って延設される壁部である。周壁部３６２は所定の高さをもって、共有壁３６１から上方に突設されている。周壁部３６２は、上面視で略矩形形状となるように無端状に延設され、周壁部３６２の内側には複数の水路が形成されている。
【００３９】
第１内壁３６３から第４内壁３６６の内壁は、周壁部３６２の内側の領域に延設されている壁部である。第１内壁３６３は、周壁部３６２の内側の領域のうち、左端部に配置される。第１内壁３６３は、後方から前方に向かって延設された後、前端側が後方かつ右方に向かって屈曲されている。第２内壁３６４は、第１内壁３６３の右側において、第１内壁３６３に沿って配置される。第２内壁３６４は、上面視で略台形形状となるように無端状に延設されている。第２内壁３６４の左側および前側の壁部は、第１内壁３６３と平行に延設されている。
【００４０】
第３内壁３６５は、共有壁３６１の略中央部に配置された壁部である。第３内壁３６５は、上面視で略矩形形状となるように無端状に延設されている。第３内壁３６５の内側には、後記の第３内部流路３８３が形成されている。なお、第３内壁３６５の左側の壁部は、第１内壁３６３の右端縁および第２内壁３６４の右側の壁部に連結されている。第４内壁３６６は、第２内壁３６４および第３内壁３６５の後側で、左方から右方に向かって延設されるとともに、その右端部が前方に屈曲され、周壁部３６２の前側の壁部と交差するまで延設されている。
【００４１】
突出部３６７は、第４内壁３６６の角部に隣接して配置されている。突出部３６７は、
共有壁３６１の一部が下方に没することで形成された突出部である（図５参照）。突出部３６７の内部には、上下方向に延設された空間部が形成されている。
【００４２】
更に、流路箱３６０は、第１孔部３７１と、第２孔部３７２と、第３孔部３７３と、第４孔部３７４と、第５孔部３７５と、吹き出し口３７６とを備える。本実施形態において、第１注水口は、第１孔部３７１および第２孔部３７２によって例示される。また、本実施形態において、第２注水口は、第４孔部３７４および第５孔部３７５によって例示される。また、本実施形態において、噴出口は、吹き出し口３７６によって例示される。
【００４３】
第１孔部３７１および第２孔部３７２は、第１内壁３６３と第２内壁３６４との間において、共有壁３６１を上下方向に貫通して形成された孔部である。第３孔部３７３は、第１内壁３６３と第２内壁３６４との間において、第３内壁３６５を左右方向に貫通して形成された孔部である（図４参照）。第４孔部３７４は、第３内壁３６５の内側の後端部において、共有壁３６１を上下方向に貫通して形成された孔部である。第５孔部３７５は、第３内壁３６５の内側の前端部において、共有壁３６１を上下方向に貫通して形成された孔部である。なお、第４孔部３７４および第５孔部３７５は、それぞれ３つずつ形成されている。吹き出し口３７６は、突出部３６７の下端部において、前側に向かって開口された孔部である。吹き出し口３７６は、左右に一対配置されている（図１７参照）。吹き出し口３７６の高さ方向の位置は、後記の第１流水部３５３および第２流水部３５２を流れる洗剤液の水面よりも上方に配置されている。なお、図２３に示す断面図は、一対の吹き出し口３７６のうち右側の吹き出し口３７６を通る鉛直面で、給水ユニット３００を切断した断面図に相当する。
【００４４】
更に、流路箱３６０は、第１内部流路３８１と、第２内部流路３８２と、第３内部流路３８３と、第４内部流路３８４と、を備える。第１内部流路３８１から第３内部流路３８３は、本実施形態の流路構造部３２０を構成する。本実施形態において、第１注水経路は、第１内部流路３８１および第３内部流路３８３によって例示される。また、本実施形態において、第２注水経路は、第２内部流路３８２によって例示される。
【００４５】
第１内部流路３８１は、流路箱３６０の左側に形成された水路である。第１内部流路３８１は、洗剤ケース４００に水を注水する。第１内部流路３８１は、第１内壁３６３および第２内壁３６４によって画定され、水を後方から前方に導いたのち、右方かつ後方に向かって導く（図６の矢印Ｄ７１、Ｄ７２参照）。前述の第１孔部３７１および第２孔部３７２は、第１内部流路３８１内の水を洗剤ケース４００の第１室４１０に注水する。
【００４６】
第２内部流路３８２は、流路箱３６０の後側に形成された水路である。第２内部流路３８２は、第１内部流路３８１から分岐され、洗剤ケース４００を迂回して後記の排水経路５６０に水を注水する。第２内部流路３８２は、第２内壁３６４および第３内壁３６５と、第４内壁３６６とによって画定され、水を右方に向かって導く（図６の矢印Ｄ７４参照）。また、第２内部流路３８２の下流側は、突出部３６７の内部空間を下方に向かって延びている。
【００４７】
第３内部流路３８３は、第２内壁３６４の内側に形成された水路である。第３内部流路３８３は、洗剤ケース４００に水を注水する。なお、第３内部流路３８３は、上記の第３孔部３７３を介して、第１内部流路３８１に連通しており、水は第１内部流路３８１から第３内部流路３８３に進入する（図６の矢印Ｄ７３参照）。前述の第４孔部３７４および第５孔部３７５は、第３内部流路３８３内の水を洗剤ケース４００の第２室４２０に注水する。第４内部流路３８４は、第４内壁３６６と周壁部３６２との間に形成された水路である。
【００４８】
（保持箱の構造）
図５を参照して、保持箱３５０は、収容箱３３０の下方部分を画定する。流路箱３６０と保持箱３５０との間には、洗剤ケース４００が装着されるケース挿入部３３１が形成される（図１６参照）。洗剤ケース４００は後方に向かってケース挿入部３３１に装着される。このため、ケース挿入部３３１（保持箱３５０）の前面部分は開口されている。また、流路箱３６０が保持箱３５０に装着されるために、保持箱３５０の上方部分も開口されている。保持箱３５０には、流路箱３６０または洗剤ケース４００から、洗剤液または水が流入する。そして、本実施形態では、保持箱３５０の下方部分が、流水部として機能する。
【００４９】
図５および図１３、図１４を参照して、保持箱３５０は、右壁３５０Ａと、左壁３５０Ｂと、後壁３５０Ｃと、第１底部３５０Ｄと、前縁部３５０Ｅと、中間壁部３５０Ｆと、第２底部３５０Ｇと、左支持部３５０Ｈと、を備える。
【００５０】
右壁３５０Ａおよび左壁３５０Ｂは、それぞれ、保持箱３５０の右側および左側の側壁である。後壁３５０Ｃは、保持箱３５０の後側の壁部であって、右壁３５０Ａおよび左壁３５０Ｂの後端部を接続する。第１底部３５０Ｄは、保持箱３５０の前側に形成された底部である。前縁部３５０Ｅは、保持箱３５０の前側の開口部を形成する端縁である。第２底部３５０Ｇは、保持箱３５０の後側に形成された底部である。第２底部３５０Ｇは、保持箱３５０の底部が段差を有するように、第１底部３５０Ｄよりも下方に配置される。
【００５１】
中間壁部３５０Ｆは、第１底部３５０Ｄと第２底部３５０Ｇとを上下方向に連結する側壁である。左支持部３５０Ｈは、第１底部３５０Ｄの一部であって、左壁３５０Ｂの下端部に連結される。左支持部３５０Ｈは、第１底部３５０Ｄの右側端部とともに洗剤ケース４００を支持する。
【００５２】
更に、保持箱３５０は、仕切り板３５１と、第１流水部３５３と、第２流水部３５２と、保持箱排出口３５４と、ピン３５５と、を備える。本実施形態において、流水部は、第１流水部３５３および第２流水部３５２によって例示される。また、本実施形態において、排出口は、保持箱排出口３５４によって例示される。更に、本実施形態において、規制部材は、ピン３５５によって例示される。
【００５３】
仕切り板３５１は、第１底部３５０Ｄおよび第２底部３５０Ｇから上方に向かって突設された板状部材である。仕切り板３５１は、第１流水部３５３と第２流水部３５２とを仕切る機能を備える。仕切り板３５１は、第１仕切部３５１Ａと、第２仕切部３５１Ｂと、第３仕切部３５１Ｃと、第４仕切部３５１Ｄと、を備える。第１仕切部３５１Ａは、第１底部３５０Ｄの左端部において前縁部３５０Ｅに沿って配置されている。第２仕切部３５１Ｂは、第１仕切部３５１Ａの右端部から後方に向かって延びている。第３仕切部３５１Ｃは、第２仕切部３５１Ｂの後端部から右方に向かって延びている。第４仕切部３５１Ｄは、第３仕切部３５１Ｃの右端部から前方に向かって延びている。なお、第４仕切部３５１Ｄの前端部は、中間壁部３５０Ｆに接している（図１３、図１４）。
【００５４】
第２流水部３５２は、保持箱３５０の底部のうち前側（洗剤ケース４００の装着方向の後端側）に形成された空間部である。第２流水部３５２には、洗剤ケース４００の第２室４２０から洗剤液が流入する。第１流水部３５３は、保持箱３５０の底部のうち後側（洗剤ケース４００の装着方向の先端側）に形成された空間部である。第１流水部３５３には、洗剤ケース４００の第１室４１０および第２室４２０から洗剤液が流入する。第１流水部３５３および第２流水部３５２に流入した水は、第２底部３５０Ｇの右側部分に向かって移動するように（図１３の矢印Ｄ１１１、Ｄ１１２）、第２底部３５０Ｇには勾配が設けられている。
【００５５】
図１４を参照して、保持箱排出口３５４は、中間壁部３５０Ｆの右端部に開口された円形状の開口部である。保持箱排出口３５４は、前記泡立て室５００と水漏れ防止弁５５０を介して接続されている。保持箱排出口３５４から、第１流水部３５３および第２流水部３５２の水（洗剤液）が泡立て室５００に向かって排出される。なお、図１３に示すように、仕切り板３５１の第４仕切部３５１Ｄの前端部は、保持箱排出口３５４に対向するように中間壁部３５０Ｆに接続されている。このため、第１流水部３５３および第２流水部３５２は、泡立て室５００において合流する。特に、本実施形態では、図１４に示すように、泡立て室５００側から保持箱排出口３５４を見た場合、第１流水部３５３側の保持箱排出口３５４の断面積と第２流水部３５２側の断面積が略同一となるように第４仕切部３５１Ｄが配置されている。特に、本実施形態では、保持箱排出口３５４が第４仕切部３５１Ｄによって半円形状に均等に分割されている。なお、保持箱排出口３５４が均等に分割されるとは、必ずしも分割された領域の断面積が一致する態様に限定されるものではない。第１流水部３５３および第２流水部３５２から安定して洗剤液が排出されるように、分割された領域の断面積がそれぞれ確保されればよい。
【００５６】
また、前述の突出部３６７の下端部は、第４仕切部３５１Ｄの上端縁よりも所定の間隔をおいて上方に配置されている（図１７）。そして、突出部３６７に開口された一対の吹き出し口３７６は、それぞれ第４仕切部３５１Ｄに対して左方および右方に位置している。
【００５７】
ピン３５５は、第１流水部３５３の下流側において、第２底部３５０Ｇから突出する複数の突起である。ピン３５５は、第４仕切部３５１Ｄの右方において、前後および左右方向に隣接して複数配置されている。これら複数のピン３５５は、第１流水部３５３から泡立て室５００に向かう洗剤液の流れを部分的に規制する。特に、ピン３５５は、粉末洗剤が溶解しないまま排出されるのを抑制する。
【００５８】
（蓋部の構造）
図５を参照して、蓋部３４０は、流路箱３６０の共有壁３６１に対向する。周壁部３６２、第１内壁３６３から第４内壁３６６は、蓋部３４０と共有壁３６１との間で立設され、前述の第１内部流路３８１から第４内部流路３８４を形成している。図２を参照して説明された流路構造部３２０は、蓋部３４０と、流路箱３６０と、第１導水筒３６１と、第２導水筒３６２と、を含む。設計者は、蓋体に様々な形状を付与し、流路箱内の流動抵抗を調整してもよい。蓋体の設計技術が以下に説明される。
【００５９】
蓋部３４０は、前後および左右方向に延びる板状部材である。蓋部３４０は、第１蓋部流路３４１と、第２蓋部流路３４２とを備える。第１蓋部流路３４１および第２蓋部流路３４２は、蓋部３４０の後端部が部分的に上方に没することで形成される。第１蓋部流路３４１および第２蓋部流路３４２は、上面視で略Ｌ字型からなる水の流路を形成している。蓋部３４０の下面は、周壁部３６２、第１内壁３６３から第４内壁３６６の上縁に、超音波溶着されてもよい。
【００６０】
（洗剤ケースの構造）
図７を参照して、洗剤ケース４００は、前述の取っ手部４４０と、第１区画壁４１１と、第２区画壁４２１と、第３区画壁４３１と、を備える。使用者は、取っ手部４４０を握持し、ケース挿入部３３１（図１６）から洗剤ケース４００を引き出すことができる。第１区画壁４１１は、上方に開口した第１室４１０を区画する。第１区画壁４１１の上方部分には、投入開口部４１２が形成されている。使用者は、収容空間３５２から洗剤ケース４００を引き出し、投入開口部４１２から第１室４１０に粉洗剤を供給することができる。第２区画壁４２１は、上方に開口した第２室４２０を区画する。第３区画壁４３１は、
上方に開口した第３室４３０を区画する。
【００６１】
洗剤ケース４００は、更に、第１サイホン蓋４２２と、第２サイホン蓋４３２と、を含む。第１サイホン蓋４２２は、第２室４２０からの水の排出に利用される。第２サイホン蓋４３１は、第３室４３０からの水の排出に利用される。
【００６２】
第１サイホン蓋４２２は、第１蓋板４２３と、第１外筒４２４と、第１投入口４２５とを含む。第１蓋板４２３は、第２室４２０の上方を覆う。第１外筒４２４は、第１蓋板４２３の後側から下方に突出する円筒部である。第１投入口４２５は、第１蓋板４２３の前側に開口された開口部である。
【００６３】
第２区画壁４２１は、第１底板４２６と、第１内筒４２７と、を含む。第１底板４２６は、第１サイホン蓋４２２の第１蓋板４２３に対向する。第１内筒４２７は、第１底板４２６から上方に突出する。図８に示すように、第１サイホン蓋４２２が第２室４２０を部分的に閉じると、第１内筒４２７は第１外筒４２４に挿入され、サイホン構造を形成する。第２室４２０内の液体は、サイホン原理に従って、第１内筒４２７と第１外筒４２４との間の空隙に流入する。その後、液体は、第１内筒４２７内を流下し、洗剤ケース４００から排出される。
【００６４】
第２サイホン蓋４３２は、第２蓋板４３３と、第２外筒４３４と、第２投入口４３５とを含む。第２蓋板４３３は、第３室４３０の上方を覆う。第２外筒４３４は、第２蓋板４３３の後側から下方に突出する円筒部である。第２投入口４３５は、第２蓋板４３３の前側に開口された開口部である。
【００６５】
第３区画壁４３１は、第２底板４３６と、第２内筒４３７と、を含む。第２底板４３６は、第２サイホン蓋４３２の第２蓋板４３３に対向する。第２内筒４３７は、第２底板４３６から上方に突出する円筒部である（図２３参照）。図８に示すように、第２サイホン蓋４３２が第３室４３０を部分的に閉じると、第２内筒４３７は第２外筒４３４に挿入され、サイホン構造を形成する。第３室４３０内の液体は、サイホン原理に従って、第２内筒４３７と第２外筒４３４との間の空隙に流入する。その後、液体は、第２内筒４３７内を流下し、洗剤ケース４００から排出される。
【００６６】
図８を参照して、使用者は、ケース挿入部３３１（図１６）から洗剤ケース４００を引き出し、第１投入口４２５から、第２区画壁４２１によって区画された第２室４２０に液体洗剤を供給することができる。また、使用者は、ケース挿入部３３１から洗剤ケース４００を引き出し、第２投入口４３５から、第３区画壁４３１によって区画された第３室４３０に仕上剤を供給することができる。
【００６７】
（泡立て室の構造）
図３および図１８を参照して、泡立て室５００は、給水ユニット３００に水漏れ防止弁５５０を介して接続される。図２２および図２３を参照して、水漏れ防止弁５５０は、給水ユニット３００の保持箱排出口３５４との間からの水漏れを防止するため、内径が保持箱排出口３５４と同様の形状に形成し、水密に装着される。
【００６８】
また、水漏れ防止弁５５０の先端部には、面取りを施し、水漏れ防止リブ５５１は、三重に形成し、テーパ形状とすることで、泡立て室５００の円筒部５７０に挿入しやすく、少ない力で給水ユニット３００に水密に接合できる形状としている。
【００６９】
図２０および図２３を参照して、給水ユニット３００構造部内の第１内部流路３８１より射出される水は、泡立て室５００に流入すると、泡立て壁５１０に衝突する。勢いのあ
る水を泡立て壁５１０衝突させることで、水に多くの空気を含ませ、乱流を発生させる。
【００７０】
図２０および図２３を参照して、泡立て壁５１０には、泡立て突起形状５２０が水の流れの上流側に向かって複数、複数列、突出形成されている。泡立て壁５１０により乱流となった水は、泡立て突起形状５２０により拡散して、第１流水部３５３と第２流水部３５２から流れる洗剤液と空気を含みながら交わって混合し、多量の泡を生成する。第１内部流路３８１から射出される水は、常時、泡立て壁５１０に衝突するため、洗い行程の間、多量の泡を生成し、泡給水の効果を飛躍的に向上させる。
【００７１】
泡立て室５００の泡立て壁５１０に形成する泡立て突起形状５２０は、水を拡散させ、乱流を発生させることにより、洗剤液を滞らせて泡立て室５００内にて停滞する効果を得られる。これにより、給水ユニット３００構造部内の第１内部流路３８１より射出される水と洗剤液が常に混合させて、泡の生成を長期間にわたって継続して行うことができ、泡給水の継続時間を飛躍的に向上させる。
【００７２】
図１８および図２３を参照して、泡立て室５００の泡立て壁５１０の周りには円筒部５７０が設けられ、水の衝突・拡散による泡立て室５００から機外への水漏れを防止する効果がある。
【００７３】
図１９を参照して、泡立て室５００で衝突と拡散により流量が不均一となる水の流れは、泡立て室５００の中央部に設置された複数の整流用突起形状５３０により整流化される。整流用突起形状５３０の両側は、リブ５３１を備えている。リブ５３１は、水の流入側から整流用突起形状５３０に向かって漸次幅狭に形成されて、上流側に位置する整流用突起形状５３０位置で最も幅狭となり、下流側に位置する整流用突起形状５３０側になるに従って漸次幅広になるよう形成している。これにより、リブ５３１は、水の流れを絞り、絞った流れを拡散させて、水の流れの進行方向を整流し矯正する効果を生じさせる。泡立て室５００の水の進行方向を矯正することにより、乱流により周囲に拡散した水の流れを中央の整流化された方向へ誘導する効果がある。
【００７４】
図２１を参照して、泡立て室５００の排水部５６０付近には、注水面積拡大リブ５４０が備わる。注水面積拡大リブ５４０は、泡立て室５００の整流用突起形状５３０およびリブ５３１により中央に集まる水に対して開口面積を絞ることで、水の進行方向の水圧により洗濯槽６００に注水される水の面積を均一に広げる効果がある。注水面積拡大リブ５４０により、洗濯槽６００へ泡給水を均一に広い面積で注水することができる。なお、注水面積拡大リブ５４０は、泡立て室５００の上方向から下方向に伸びることで、最終運転終了後に水が泡立て室５００内部に残った場合も、流水面となる泡立て室５００底面に凸形状が生じないため、容易に洗濯槽６００へ流出することができる。注水面積を絞る形状が流水面に対して凸形状である場合、泡立て室５００に残る一定量の水が、堰き止められて洗濯槽６００へ注水することなく、残水を発生させる。注水面積拡大リブ５４０を上から泡立て室５００に向かって伸ばすことで、運転終了後の残水問題を解決する。
【００７５】
（水の流れについて）
以下、図２および図２３を参照して、洗濯機１００における水の流れが更に説明される。洗濯槽６００において、洗剤を含む洗剤液によって衣類の洗浄動作が実行される。この際、第１導水筒３１１が開かれ、第１経路ＦＰに水が流入する。詳しくは、第１導水筒３１１から流入した水は、流路箱３６０の後端部に形成された第１内部入水口３８１Ａ（図５、図６）から上方に向かって、第１蓋部流路３４１の第１蓋部入水口３４１Ａ（図５）に進入する。水は第１蓋部流路３４１内を流れた後、第１蓋部流出口３４１Ｂ（図５）から下方に向かって、第１内部流路３８１の第１内部導水口３８１Ｂ（図６）に流入する。その後、水は、第１内部流路３８１を前方に向かって流れる（図６の矢印Ｄ７１）。この
際、一部の水が、第１孔部３７１および第２孔部３７２から下方に落下し（図１０の矢印Ｄ９１、Ｄ９２）、洗剤ケース４００の第１室４１０に進入する。そして、第１室４１０内に収容された粉洗剤が溶解され、第１室４１０内に洗剤液が生成される。
【００７６】
一方、図６を参照して、第１内部流路３８１において、第１孔部３７１および第２孔部３７２を通り過ぎた水は、第１内部流路３８１を更に右方に向かって進み（図６の矢印Ｄ７２）、第３孔部３７３から第３内部流路３８３に進入する。その後、水は第４孔部３７４および第５孔部３７５から下方に落下し（図１２の矢印Ｄ１０１、Ｄ１０２）、第２室４２０に進入する。なお、第５孔部３７５から落下した水は、第１投入口４２５を通過しながら、第２室４２０に流入する。そして、第２室４２０内に収容された液体洗剤が溶解され、第２室４２０内に洗剤液が生成される。
【００７７】
また、本実施形態では、給水弁３１０（図１）から供給される水の流量が、下限の毎分５リットルの場合であっても、各孔部から洗剤ケース４００に流入する水の流速が毎秒０．３メートルとなるように、流路箱３６０の各孔部の形状および位置が設定されている。また、粉洗剤を安定して溶解するために、第１孔部３７１および第２孔部３７２から落下する水の落下点を中心として半径３０ｍｍの範囲に粉洗剤が収容されるように、第１室４１０が配置されている。
【００７８】
第１室４１０が洗剤液で充満されると、洗剤液は第１区画壁４１１の後端縁から後方に溢れ出す（図８の矢印Ｄ８１、図１０の矢印Ｄ９３）。なお、第１区画壁４１１の後端縁と保持箱３５０の後壁３５０Ｃ（図５）との間には予め隙間が形成されている。第１区画壁４１１から溢れ出した洗剤液は、保持箱３５０の仕切り板３５１よりも後方の第１流水部３５３（図１３）に進入した後、仕切り板３５１に沿って保持箱排出口３５４に向かって流れる（図１３の矢印Ｄ１１１）。
【００７９】
また、第２室４２０内に洗浄液が貯留され始めると、第１外筒４２４および第１内筒４２７のサイホン効果によって、洗浄液は第１内筒４２７から下方に落下する（図１２の矢印Ｄ１０３）。この際、洗剤液は、保持箱３５０の仕切り板３５１よりも前方の第２流水部３５２（図１３）に進入した後、仕切り板３５１に沿って保持箱排出口３５４に向かって流れる（図１３の矢印Ｄ１１２）。
【００８０】
また、第１内筒４２７から洗浄液が落下する間、第４孔部３７４および第５孔部３７５から水が更に第２室４２０に進入すると、第２室４２０が洗剤液で充満される。この結果、洗浄液の一部は、第２区画壁４２１の後端縁から後方に溢れ出す（図８の矢印Ｄ８２、図１２の矢印Ｄ１０４）。なお、第２区画壁４２１の後端縁と保持箱３５０の後壁３５０Ｃ（図５）との間にも予め隙間が形成されている（図１２参照）。第２区画壁４２１から溢れ出した洗剤液は、保持箱３５０の第１流水部３５３（図１３）に進入した後、第１区画壁４１１から溢れた粉洗剤の洗剤液とともに、仕切り板３５１に沿って保持箱排出口３５４に向かって流れる（図１３の矢印Ｄ１１１）。
【００８１】
図１３、図２３を参照して、第２流水部３５２から保持箱排出口３５４に至った洗剤液は、泡立て室５００に流入する。一方、第１流水部３５３から保持箱排出口３５４に至る洗剤液は、保持箱排出口３５４の直前で複数のピン３５５の間を通過する。この際、洗剤液の攪拌が促進されながら、洗剤液が泡立て室５００に流入する。特に、第１流水部３５３を流れる洗剤液には粉洗剤が含まれている。このため、ピン３５５によって、粉洗剤の溶解が更に促進される。また、ピン３５５が洗剤液の流れを一時的に妨げるため、第１室４１０および第２室４２０から第１流水部３５３に多くの洗剤液が流入した場合であっても、これらの洗剤液が充分に攪拌されないまま洗濯槽６００に供給されることが抑止される。
【００８２】
図６に戻って、本実施形態では、第１内部導水口３８１Ｂから第１内部流路３８１に流入した水の一部は、第２内部流路３８２を通過しながら（図６の矢印Ｄ７４）、洗剤ケース４００を迂回して、突出部３６７の内部を落下する（図２３の矢印Ｄ１３１）。そして、これらの水は、突出部３６７の下端部に開口された一対の吹き出し口３７６から下方かつ前方に向かって噴出される。
【００８３】
また、本実施形態では、上記のように分流された水によって洗剤液が攪拌されるため、洗剤液を生成、攪拌するために専用の駆動部（モーター）を備える必要がない。また、洗剤ケース４００内に多量の水が流入され洗剤ケース４００内で洗剤が攪拌される場合と比較して、給水ユニット３００からの水漏れが防止される。この結果、給水ユニット３００がコンパクトになるとともに、上記のような水漏れが抑止される。
【００８４】
なお、吹き出し口３７６から噴出される水の流速は、主に突出部３６７の内部空間に貯留される水の量で決定される。したがって、給水弁３１０から給水される水道水の流量が変動した場合であっても、泡立て室５００内の洗剤液に対して安定した射出力が与えられる。また、線状に噴出される水の力が泡立て室５００内に備わる泡立て壁５１０と泡立て突起形状５２０に衝突し、拡散することで洗剤液が攪拌されるため、攪拌機能に多量の水を消費することがない。
【００８５】
また、一対の吹き出し口３７６は、仕切り板３５１の第４仕切部３５１Ｄに対して第１流水部３５３側に向かって水を噴出する吹き出し口と、第２流水部３５２側に向かって水を噴出する吹き出し口とからなる（図２３の矢印Ｄ１３２）。このため、第１流水部３５３および第２流水部３５２から泡立て室５００に流入する洗剤液が、それぞれ安定して攪拌される。
【００８６】
また、本実施形態では、上記のように、第１経路ＦＰ（図１）から流路構造部３２０に流入する水の一部が、第１内部流路３８１から第２内部流路３８２に分流される。なお、本実施形態では、一例として、給水弁３１０（図１）から供給される水の流量が、上限の毎分１５リットルの場合、第１内部流路３８１から第２内部流路３８２側に流れる水の流量は、毎分７リットルである。一方、第１内部流路３８１を引き続き流れる水の量は、毎分４リットルである。したがって、第１内部流路３８１の下流側に流れる水の流量は、第２内部流路３８２に流入する水の流量よりも小さい。このため、洗濯槽６００に水を給水する時間が短縮されるために、給水ユニット３００から洗濯槽６００に流入させる水の流量が大きく設定された場合であっても、洗剤ケース４００の周辺から給水ユニット３００の外側、特に、ハウジング２５０の前面部から水が漏れることが抑止される。
【００８７】
更に、前述のように、第１流水部３５３および第２流水部３５２は泡立て室５００で合流するため、両者の水面の高さが異なる場合であっても、一方の流水部から他方の流水部に洗剤液が逆流することが抑止される。また、仕切り板３５１が保持箱排出口３５４を略半分に仕切っているため、第１流水部３５３および第２流水部３５２のうち水面の高さが低い方の流水部からも安定して泡立て室５００に洗剤液を流入させることができる。
【００８８】
特に、本実施形態では、前述のように、第１室４１０および第２室４２０の後側から溢れた洗剤液が第１流水部３５３に流入し、第２室４２０の第１内筒４２７から第２流水部３５２に洗剤液が流入する。なお、本実施形態では、給水弁３１０（図１）から供給される水の流量が、上限の毎分１５リットルの場合、第１室４１０および第２室４２０には毎分２リットルずつ水が流入する。このため、洗剤ケース４００から後方の第１流水部３５３に流入する洗剤液の流量よりも、洗剤ケース４００から前方の第２流水部３５２に流入する洗剤液の流量の方が少ない。また、第１内筒４２７および第１外筒４２４はサイホン
構造からなるため、第２流水部３５２への洗剤液の流量の上限がほぼ固定されている。したがって、ケース挿入部３３１の開口部側（前側）から洗剤液が漏れ出すことが特に抑止される。
【００８９】
洗濯槽６００において、仕上剤を含む水によって衣類のすすぎ動作が実行される際には、第２導水筒３１２が開かれ、第２経路ＳＰ（図２）に水が流入する。詳しくは、第２導水筒３１２から流入した水は、流路箱３６０の後端部に形成された第２内部入水口３８４Ａ（図５、図６）から上方に向かって、第２蓋部流路３４２の第２蓋部入水口３４２Ａ（図５）に進入する。水は第２蓋部流路３４２内を流れた後、第２蓋部流出口３４２Ｂ（図５）から下方に向かって、第４内部流路３８４の第２内部導水口３８４Ｂ（図６）に流入する。その後、水は、第４内部流路３８４を前方に向かって流れ、第４内部流路３８４に形成された不図示の孔部から下方に落下する。そして、洗剤ケース４００の第３室４３０に進入した水は、仕上剤を含み、サイホン効果によって第２内筒４３７から落下する。その後、落下した水は、保持箱排出口３５４を介して泡立て室５００に流入し、洗濯槽６００に供給される。
【００９０】
なお、第１孔部３７１および第２孔部３７２からの水の落下点から半径３０ｍｍの範囲に洗剤が収納されているので、給水弁３１０から供給される水の流量が下限の毎分５リットルの場合でも、洗剤が安定して溶解される。この結果、洗剤ケース４００における洗剤残りが抑止される。また、同様に、供給される水の流量が下限の毎分５リットルの場合、第１孔部３７１、第２孔部３７２、第４孔部３７４および第５孔部３７５から流れる水の流速は毎秒０．３メートルに設定されている。この結果、供給される水の流量が上限の毎分１５リットルの場合でも、第１孔部３７１、第２孔部３７２、第４孔部３７４および第５孔部３７５から流れる水の流速が毎秒０．９メートルに制限される。したがって、これらの孔部から落下する水の勢いで、洗剤ケース４００内において泡が大量に発生することが抑止される。このため、ケース挿入部３３１から泡水が溢れ出すことが防止される。
【００９１】
以上、本発明の実施形態に係る洗濯機１００について説明したが、本発明はこれに限定されるものではなく、例えば次のような変形実施形態を採用することができる。
【００９２】
（１）上記の実施形態では、規制部材としてピン３５５を用いて説明したが、本発明はこれに限定されるものではない。ピン３５５の代わりに水の流れの流路中にメッシュ部材が配置されてもよい。メッシュの開口部を洗剤液が通過することで、洗剤液の攪拌が促進される。また、メッシュ部材は、水の流れに沿って複数配置されてもよい。
【００９３】
（２）また、上記の実施形態では、第１内部流路３８１から第１室４１０および第２室４２０に水が流入する態様にて説明したが、本発明はこれに限定されるものではない。第１内部流路３８１から第１室４１０または第２室４２０の何れかに水が流入することで洗剤液が形成され、第２内部流路３８２の吹き出し口３７６から前記洗剤液に水が噴出される態様でもよい。
【００９４】
（３）泡立て室５００の泡立て壁５１０と泡立て突起形状５２０は、メッシュ等の別部品を配置することで構成されてもよい。メッシュ内部に勢いの強い水を射出することで、メッシュ内部で水が拡散、衝突を繰り返すことで空気を含む泡が生成できる。
【産業上の利用可能性】
【００９５】
本実施形態の原理は、洗濯機能を有する様々な装置に好適に利用される。
【符号の説明】
【００９６】
１００・・・・・・・・・・・・・・・・洗濯機
２００・・・・・・・・・・・・・・・・給水口
２５０・・・・・・・・・・・・・・・・ハウジング
３００・・・・・・・・・・・・・・・・給水ユニット
３１０・・・・・・・・・・・・・・・・給水弁
３２０・・・・・・・・・・・・・・・・流路構造部
３３０・・・・・・・・・・・・・・・・収容箱
３３１・・・・・・・・・・・・・・・・ケース挿入部
３４０・・・・・・・・・・・・・・・・蓋部
３５０・・・・・・・・・・・・・・・・保持箱
３５１・・・・・・・・・・・・・・・・仕切り板
３５１Ａ・・・・・・・・・・・・・・・第１仕切部
３５１Ｂ・・・・・・・・・・・・・・・第２仕切部
３５１Ｃ・・・・・・・・・・・・・・・第３仕切部
３５１Ｄ・・・・・・・・・・・・・・・第４仕切部
３５２・・・・・・・・・・・・・・・・第２流水部
３５３・・・・・・・・・・・・・・・・第１流水部
３５４・・・・・・・・・・・・・・・・保持箱排出口
３５５・・・・・・・・・・・・・・・・ピン
３６０・・・・・・・・・・・・・・・・流路箱
３６７・・・・・・・・・・・・・・・・突出部
３７１・・・・・・・・・・・・・・・・第１孔部
３７２・・・・・・・・・・・・・・・・第２孔部
３７３・・・・・・・・・・・・・・・・第３孔部
３７４・・・・・・・・・・・・・・・・第４孔部
３７５・・・・・・・・・・・・・・・・第５孔部
３７６・・・・・・・・・・・・・・・・吹き出し口
３８１・・・・・・・・・・・・・・・・第１内部流路
３８２・・・・・・・・・・・・・・・・第２内部流路
３８３・・・・・・・・・・・・・・・・第３内部流路
３８４・・・・・・・・・・・・・・・・第４内部流路
４００・・・・・・・・・・・・・・・・洗剤ケース
４１０・・・・・・・・・・・・・・・・第１室
４２０・・・・・・・・・・・・・・・・第２室
４３０・・・・・・・・・・・・・・・・第３室
４４０・・・・・・・・・・・・・・・・取っ手部
５００・・・・・・・・・・・・・・・・泡立て室
５１０・・・・・・・・・・・・・・・・泡立て壁
５２０・・・・・・・・・・・・・・・・泡立て突起形状
５３０・・・・・・・・・・・・・・・・整流用突起形状
５４０・・・・・・・・・・・・・・・・注水面積拡大リブ
５５０・・・・・・・・・・・・・・・・水漏れ防止弁
５６０・・・・・・・・・・・・・・・・排水経路
５７０・・・・・・・・・・・・・・・・円筒部
６００・・・・・・・・・・・・・・・・洗濯槽
７００・・・・・・・・・・・・・・・・筐体
７２０・・・・・・・・・・・・・・・・上筐体
７２１・・・・・・・・・・・・・・・・投入口
８００・・・・・・・・・・・・・・・・蓋体
９００・・・・・・・・・・・・・・・・操作パネル
【図１】
0006484806.tif 000002
【図２】
0006484806.tif 000003
【図３】
0006484806.tif 000004
【図４】
0006484806.tif 000005
【図５】
0006484806.tif 000006
【図６】
0006484806.tif 000007
【図７】
0006484806.tif 000008
【図８】
0006484806.tif 000009
【図９】
0006484806.tif 000010
【図１０】
0006484806.tif 000011
【図１１】
0006484806.tif 000012
【図１２】
0006484806.tif 000013
【図１３】
0006484806.tif 000014
【図１４】
0006484806.tif 000015
【図１５】
0006484806.tif 000016
【図１６】
0006484806.tif 000017
【図１７】
0006484806.tif 000018
【図１８】
0006484806.tif 000019
【図１９】
0006484806.tif 000020
【図２０】
0006484806.tif 000021
【図２１】
0006484806.tif 000022
【図２２】
0006484806.tif 000023
【図２３】
0006484806.tif 000024